(57)【要約】【課題】ノズル内部の旋回モジュールを回転させながらヘアドライヤーの温風を送り出し、髪の毛を動かさなくとも髪の毛を速やかに乾かすことができる、ノズル構造を提供する。【解決手段】ノズル構造は、ヘアドライヤーの吹出口に取り付けられるとともに、ノズル２０と、ノズル２０内に嵌設された旋回モジュール３０とを備える。旋回モジュール３０は固定座４０及び導風ファン５０を有する。固定座４０の中心には固定溝４１が形成される。導風ファン５０は軸管５１、回転軸５２、第１のリング５３及び第２のリング５４を有する。回転軸５２は一端が軸管５１内に枢着され、他端が固定溝４１内に枢着される。導風ファン５０は固定座４０の一端に枢着される。軸管５１の外周面と第１のリング５３の内周面との間には複数の第１の羽根片５５が設けられる。第１のリング５３の外周面と第２のリング５４の内周面との間には複数の第２の羽根片５６が設けられる。【選択図】図３
0003212825.tif 000002
【実用新案登録請求の範囲】
【請求項１】
ヘアドライヤーの吹出口に取り付けられるとともに、ノズルと、前記ノズル内に嵌設された旋回モジュールと、を備えたノズル構造であって、
前記旋回モジュールは、固定座及び導風ファンを有し、
前記固定座の中心には、固定溝が形成され、
前記導風ファンは、軸管、回転軸、第１のリング及び第２のリングを有し、
前記回転軸は、一端が前記軸管内に枢着され、他端が前記固定溝内に枢着され、
前記導風ファンは、前記固定座の一端に枢着され、
前記軸管の外周面と前記第１のリングの内周面との間には、複数の第１の羽根片が設けられ、
前記第１のリングの外周面と前記第２のリングの内周面との間には、複数の第２の羽根片が設けられることを特徴とするノズル構造。
【請求項２】
前記導風ファン上の前記第１の羽根片は、前後が折り曲げられた形状を呈し、上下端が前記軸管の外周面と前記第１のリングの内周面とに連結され、
前記第２の羽根片は、前後が折り曲げられた形状を呈し、上下端が前記第１のリングの外周面と前記第２の羽根片の内周面とに連結されることを特徴とする請求項１に記載のノズル構造。
【請求項３】
前記固定座は、凹溝を有し、
前記凹溝の底部には、複数の開口が形成され、
前記凹溝中には、プレートが配設されることを特徴とする請求項１に記載のノズル構造。
【請求項４】
前記プレートは、スポンジ、綿花又は多孔状セラミックからなることを特徴とする請求項３に記載のノズル構造。
【請求項５】
前記凹溝は、円環状に形成されることを特徴とする請求項３に記載のノズル構造。
【請求項６】
前記旋回モジュールは、導風カバーを有し、
前記導風カバーは、吸気口及び排風口を有し、
前記排風口には、内方へかけて傾いた偏心孔が形成され、前記吸気口の内周面には、複数の係合片が設けられ、
前記導風ファンの前記第２のリングの内周面には、複数の凸部が設けられ、
前記導風カバーは、前記係合片を介して前記導風ファンの前記凸部と係合されるとともに、前記導風ファンと同期で旋回することを特徴とする請求項１に記載のノズル構造。
【請求項７】
前記ノズルの内周壁には、複数の挿着部が設けられ、
前記旋回モジュールの前記固定座の外周面上には、複数の凹状嵌合溝が形成され、
前記固定座は、前記凹状嵌合溝を介して前記ノズルの前記挿着部に固定されることを特徴とする請求項１に記載のノズル構造。
【請求項８】
前記ノズルの入口には、複数の係合凸部が設けられ、
前記ノズルは、前記係合凸部を介して前記ヘアドライヤーの排風口に結合されることを特徴とする請求項１に記載のノズル構造。
【考案の詳細な説明】
【技術分野】
【０００１】
本考案は、ヘアドライヤーに関し、特に、ノズル内部の旋回モジュールを回転させながらヘアドライヤーの温風を送り出し、髪の毛を動かさなくとも髪の毛を速やかに乾かすことができる、ヘアドライヤーの吹出口に取り付けるノズル構造に関する。
【背景技術】
【０００２】
図１に示すように、従来のヘアドライヤーは、ヘアドライヤー１０の出口に取り付けるノズル２０を有し、ノズル２０の開口形状により温風が吹き出す方向及び強度を変えることができる。市販されているノズルは、吹出方向を固定したり、他の機能を有する構造（例えば、ブラシ）を結合したりすることができるが、髪の毛に温風を吹きかけて乾かすとき、髪の毛を動かして髪の毛の間に温風を吹きかけなければ、内側及び外側の髪の毛を均一に乾かすことは困難であった。
【考案の概要】
【考案が解決しようとする課題】
【０００３】
本考案の主な目的は、ノズル内部の旋回モジュールを回転させながらヘアドライヤーの温風を送り出し、髪の毛を動かさなくとも髪の毛を速やかに乾かすことができる、ノズル構造を提供することにある。
【課題を解決するための手段】
【０００４】
上記課題を解決するために、本考案の第１の形態によれば、ヘアドライヤーの吹出口に取り付けられるとともに、ノズルと、前記ノズル内に嵌設された旋回モジュールと、を備えたノズル構造であって、前記旋回モジュールは、固定座及び導風ファンを有し、前記固定座の中心には、固定溝が形成され、前記導風ファンは、軸管、回転軸、第１のリング及び第２のリングを有し、前記回転軸は、一端が前記軸管内に枢着され、他端が前記固定溝内に枢着され、前記導風ファンは、前記固定座の一端に枢着され、前記軸管の外周面と前記第１のリングの内周面との間には、複数の第１の羽根片が設けられ、前記第１のリングの外周面と前記第２のリングの内周面との間には、複数の第２の羽根片が設けられることを特徴とするノズル構造が提供される。
【０００５】
前記導風ファン上の前記第１の羽根片は、前後が折り曲げられた形状を呈し、上下端が前記軸管の外周面と前記第１のリングの内周面とに連結され、前記第２の羽根片は、前後が折り曲げられた形状を呈し、上下端が前記第１のリングの外周面と前記第２の羽根片の内周面とに連結されることが好ましい。
【０００６】
前記固定座は、凹溝を有し、前記凹溝の底部には、複数の開口が形成され、前記凹溝中には、プレートが配設されることが好ましい。
【０００７】
前記プレートは、スポンジ、綿花又は多孔状セラミックからなることが好ましい。
【０００８】
前記凹溝は、円環状に形成されることが好ましい。
【０００９】
前記旋回モジュールは、導風カバーを有し、前記導風カバーは、吸気口及び排風口を有し、前記排風口には、内方へかけて傾いた偏心孔が形成され、前記吸気口の内周面には、複数の係合片が設けられ、前記導風ファンの前記第２のリングの内周面には、複数の凸部が設けられ、前記導風カバーは、前記係合片を介して前記導風ファンの前記凸部と係合されるとともに、前記導風ファンと同期で旋回することが好ましい。
【００１０】
前記ノズルの内周壁には、複数の挿着部が設けられ、前記旋回モジュールの前記固定座の外周面上には、複数の凹状嵌合溝が形成され、前記固定座は、前記凹状嵌合溝を介して前記ノズルの前記挿着部に固定されることが好ましい。
【００１１】
前記ノズルの入口には、複数の係合凸部が設けられ、前記ノズルは、前記係合凸部を介して前記ヘアドライヤーの排風口に結合されることが好ましい。
【考案の効果】
【００１２】
本考案のノズル構造は、従来技術と比べ、複数の第１の羽根片及び第２の羽根片の内外の二重リングにより風を妨げ、導風ファンの回転速度を高めることができるため、髪の毛を動かさなくとも速やかに髪の毛を乾かすことができる。
【図面の簡単な説明】
【００１３】
【図１】図１は、従来のヘアドライヤー及びノズルを示す分解斜視図である。
【図２】図２は、本考案の一実施形態に係るノズル構造のヘアドライヤー、ノズル及び旋回モジュールを示す分解斜視図である。
【図３】図３は、本考案の一実施形態に係るノズル構造の旋回モジュールを示す分解斜視図である。
【図４】図４は、本考案の一実施形態に係るノズル構造の旋回モジュールの別の角度からの斜視図である。
【図５】図５は、本考案の一実施形態に係るノズル構造の旋回モジュールを示す断面分解斜視図である。
【図６】図６は、本考案の一実施形態に係るノズル構造の導風ファンを示す斜視図である。
【図７】図７は、本考案の一実施形態に係るノズル構造の導風ファンを示す正面図である。
【図８】図８は、本考案の一実施形態に係るノズル構造の旋回モジュールを示す組立断面図である。
【図９】図９は、本考案の一実施形態に係るノズル構造の固定座を示す組立断面図である。
【図１０】図１０は、本考案の一実施形態に係るノズル構造の固定座を示す背面図である。
【図１１】図１１は、本考案の一実施形態に係るノズル構造のヘアドライヤー、ノズル及び旋回モジュールを示す分解断面図である。
【考案を実施するための形態】
【００１４】
以下、本考案の実施形態について図に基づいて説明する。なお、これによって本考案が限定されるものではない。
【００１５】
図２を参照する。図２に示すように、本考案の一実施形態に係るノズル構造は、ヘアドライヤー１０の吹出口に取り付けられ、回転気流を発生させることができ、ノズル２０と、ノズル２０内に嵌設された旋回モジュール３０と、を備える。
【００１６】
図３を参照する。図３に示すように、ノズル２０の両端には中空状の貫通孔が形成される。貫通孔の入口端には、複数の係合凸部２１が設けられる。ノズル２０は、係合凸部２１を介してヘアドライヤー１０の吹出口１１に取り付けられる（図１１を参照する）。また、ノズル２０の貫通孔の内周面には、長尺状の挿着部２２が複数設けられる。
【００１７】
図３〜図５を参照する。図３〜図５に示すように、旋回モジュール３０は、固定座４０及び導風ファン５０を有する。
【００１８】
固定座４０は、中心に固定溝４１が形成され、外周面には、ノズル２０内部の挿着部２２に対応した複数の凹状嵌合溝４２が形成される。固定座４０は、複数の凹状嵌合溝４２がノズル２０内部の複数の挿着部２２に嵌着され、ノズル２０の貫通孔中に固定される。
【００１９】
導風ファン５０は、軸管５１、回転軸５２、第１のリング５３及び第２のリング５４を有する。回転軸５２は、一端が軸管５１内に枢着され、他端が固定座４０の固定溝４１内に枢着され、導風ファン５０の中心に回転軸５２が位置し、固定座４０の一端が自由に旋回可能である。軸管５１の外周面と第１のリング５３の内周面との間には、複数の第１の羽根片５５が設けられる。第１のリング５３の外周面と第２のリング５４の内周面との間には、複数の第２の羽根片５６が設けられる。導風ファン５０の第２のリングの内周面には、複数の係合凸部５７が設けられる（図４を参照する）。
【００２０】
旋回モジュール３０は、導風カバー６０を有する。図３〜図８に示すように、導風カバー６０は、吸気口６１及び排風口６２を有する。導風カバー６０は、吸気口６１を介して径が排風口６２にかけて小さいテーパー状に形成され、内方へかけて傾いた偏心孔６３が形成され、吸気口６１の内周面には、導風ファン５０の係合凸部５７に対応した複数の係合片６４が設けられる。導風カバー６０の係合片６４は、導風ファン５０の係合凸部５７と係合され、導風カバー６０は、導風ファン５０と同期で、回転軸５２を中心として旋回し、導風ファン５０が送り出す気流が導風カバー６０の偏心孔６３の作用を受けて、旋回気流を発生させる。
【００２１】
図６及び図７を参照する。図６及び図７に示すように、第１の羽根片５５は、前後が折り曲げられた形状を呈し、上下端が軸管５１の外周面と第１のリング５３の内周面と連結される。第２の羽根片５６は、前後が折り曲げられた形状を呈し、上下端が第１のリング５３の外周面と第２の羽根片５６の内周面と連結される。
【００２２】
図１１を参照する。図１１に示すように、本考案の一実施形態に係るノズル構造の導風ファン５０は、内外の二重羽根片構造を有し、ヘアドライヤー１０がオンされると、導風ファン５０の内外に設けられた二重リングの傾斜羽根片により、導風ファン５０の回転速度を高め、好ましい回転気流を発生させることができる。
【００２３】
図９及び図１０を参照する。図９及び図１０に示すように、固定座４０は、円環状に形成された凹溝４３を有する。凹溝４３の底部には、複数の開口４４が形成される。凹溝４３中には、ヘアリンスを吸収して発散させることができるプレート４５が配設されてもよい（図３〜図５を参照する）。プレート４５は、スポンジ、綿花、多孔状セラミックその他吸収及び拡散作用を有する材料からなり、本実施形態のプレート４５はスポンジからなる。
【００２４】
本考案を実際に使用するとき、スポンジにヘアリンスを滴下し、熱風によりヘアリンスを送り出し、髪の毛をケアしてもよい。
【００２５】
上述したことから分かるように、本考案のノズル構造は、導風ファン５０の内外の二重リングの羽根片により、ヘアドライヤーの温風を速やかに送り出すことができるため、髪の毛を動かさなくとも、髪の毛を速やかに乾かすことができるため、従来技術の欠点を改善することができる。
【００２６】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００２７】
１０  ヘアドライヤー
１１  吹出口
２０  ノズル
２１  係合凸部
２２  挿着部
３０  旋回モジュール
４０  固定座
４１  固定溝          
４２  凹状嵌合溝
４３  凹溝
４４  開口
４５  プレート
５０  導風ファン
５１  軸管
５２  回転軸
５３  第１のリング
５４  第２のリング
５５  第１の羽根片
５６  第２の羽根片
５７  係合凸部
６０  導風カバー
６１  吸気口
６２  排風口
６３  偏心孔
６４  係合片
【図１】
0003212825.tif 000003
【図２】
0003212825.tif 000004
【図３】
0003212825.tif 000005
【図４】
0003212825.tif 000006
【図５】
0003212825.tif 000007
【図６】
0003212825.tif 000008
【図７】
0003212825.tif 000009
【図８】
0003212825.tif 000010
【図９】
0003212825.tif 000011
【図１０】
0003212825.tif 000012
【図１１】
0003212825.tif 000013